(57)【要約】【課題】  子局の登録設定から運用中の警報等の監視まで一貫した番号体系で子局を認識できる光アクセスシステムを得る。【解決手段】  子局管理番号１１１と、子局識別子１１２とを関連付けて記憶する運用管理テーブル１０１と、子局２との接続時に付与される論理回線番号と、子局管理番号１１１とを関連付けて記憶する接続制御テーブル１０２とを親局１の管理部１４に設ける。管理部１４は、親局１と任意の子局２とを接続した場合、運用管理テーブル１０１から、子局識別子１１２に関連付けられた子局管理番号１１１を取得し、この子局管理番号１１１に一致する接続制御テーブル１０２の子局管理番号１１１に関連付けて論理回線番号を設定する。【選択図】        図１
2006332976.tif 000002
【特許請求の範囲】
【請求項１】
親局と複数の子局とが光伝送路を介して接続された光アクセスシステムにおいて、
前記親局は、
外部より設定可能な子局管理番号と、各子局に固有の子局識別子とを関連付けて記憶する運用管理テーブルと、
任意の子局との接続時に付与される論理回線番号と、前記子局管理番号とを関連付けて記憶する接続制御テーブルと、
これら運用管理テーブルおよび接続制御テーブルを有し、任意の子局と接続した場合、当該子局から子局識別子を取得し、前記運用管理テーブルを参照して、この子局識別子に関連付けられた子局管理番号を取得し、前記接続制御テーブルにおける前記取得した子局管理番号に一致する子局管理番号に関連付けて前記任意の子局との接続時に付与される論理回線番号を設定する管理部とを備えた光アクセスシステム。
【請求項２】
運用管理テーブルおよび接続制御テーブルは、単一の子局管理番号に対して複数の回線管理番号が設定可能に構成されると共に、前記接続制御テーブルは、複数の回線管理番号に対応して複数の回線接続番号が設定可能に構成され、
管理部は、単一の子局に対して複数の論理回線が設定された場合、当該論理回線番号を前記複数の回線管理番号に対応した前記回線接続番号にそれぞれ設定することを特徴とする請求項１記載の光アクセスシステム。
【請求項３】
管理部は、子局より、回線管理番号を取得して、当該回線管理番号に対応した回線接続番号に論理回線番号を設定することを特徴とする請求項２記載の光アクセスシステム。
【請求項４】
管理部は、子局からの回線管理番号取得時に、当該回線管理番号が存在しなかった場合、接続制御テーブルに予め設定されている回線管理番号を、前記子局の回線管理番号として設定するよう送信し、
子局は、前記送信された回線管理番号を、当該論理回線設定時における回線管理番号として登録することを特徴とする請求項３記載の光アクセスシステム。
【請求項５】
子局識別子は、子局の製造番号またはＭＡＣアドレスであることを特徴とする請求項１から請求項４のうちのいずれか１項記載の光アクセスシステム。
【発明の詳細な説明】
【技術分野】
【０００１】
この発明は、受動光分岐素子を用いて、一つの親局に複数の子局を収容する光アクセスシステム（ＥＰＯＮ：Ethernet（登録商標） Passive Optical Network）に関するものである。
【背景技術】
【０００２】
光アクセスシステムは、光分岐素子によって一つの親局に複数の子局を接続し、光ファイバを共有する伝送システムである。ＩＥＥＥ８０２．３ａｈ標準に準拠したＥＰＯＮシステムは、親局と子局の間に論理回線を設定することにより接続制御を行うが、その際に回線番号を接続制御の中で自動的に付与しており、当該番号は接続される度に変更される可能性があり管理者から制御することができないため、管理基準として使用することができない。加えて、接続制御が論理回線単位に行われるため、運用の単位も論理回線単位となっており、１台の子局との間に複数の論理回線が設定される場合、複数の論理回線が同一子局内の回線であるのか、複数の子局のものであるかを容易に区別することができなかった。
【０００３】
また、データ回線に接続した装置に構築した通信プロトコル・ソフトウェアによりデータ回線から採取する通信記録用データを、論理回線上の通信制御用データと物理回線上の一般通信用データに分類し、記憶部のそれぞれ異なった記憶領域に記憶させるようにしたものがあった（例えば、特許文献１参照）。
【０００４】
【特許文献１】特開２００１−１９７１５５号公報
【発明の開示】
【発明が解決しようとする課題】
【０００５】
従来の光アクセスシステムでは、一つの親局に収容される子局は多数あるため、操作インタフェースとしては子局に番号を付与する形で見せることが好ましいが、従来はこの運用回線番号が、接続制御で無作為に決定される論理回線番号と同じか、または論理回線の単位で監視装置が仮想的に割り当てた番号となっている。このため、例えば設定操作時に使用する回線番号と警報発出時に通知される番号が異なる等、運用者が統一された番号体系を参照できないため分かり難い等の問題があった。
【０００６】
また、上記特許文献に示されているように、論理回線上の通信制御用データと物理回線上の一般通信用データを分類して記憶するようにした構成であっても、これはあくまでもログデータに対してであり、運用者が統一された番号体系を参照できないという問題を解決するものではなかった。
【０００７】
この発明は上記のような課題を解決するためになされたもので、運用者が子局の登録設定から運用中の警報等の監視まで一貫した番号体系で子局を認識できる光アクセスシステムを得ることを目的とする。
【課題を解決するための手段】
【０００８】
この発明に係る光アクセスシステムは、外部より設定可能な子局管理番号と、各子局に固有の子局識別子とを関連付けて記憶する運用管理テーブルと、任意の子局との接続時に付与される論理回線番号と、子局管理番号とを関連付けて記憶する接続制御テーブルとを親局に設け、親局と任意の子局とを接続した場合、親局の管理部は、子局から子局識別子を取得し、運用管理テーブルを参照して、この子局識別子に関連付けられた子局管理番号を取得し、接続制御テーブルにおける取得した子局管理番号に一致する子局管理番号に関連付けて任意の子局との接続時に付与される論理回線番号を設定するようにしたものである。
【発明の効果】
【０００９】
この発明の光アクセスシステムは、親局と任意の子局とを接続した場合、運用管理テーブルから、子局識別子に関連付けられた子局管理番号を取得し、接続制御テーブルにおける取得した子局管理番号に一致する子局管理番号に関連付けて任意の子局との接続時に付与される論理回線番号を設定するようにしたので、運用者が子局の登録設定から運用中の監視まで一貫した番号体系で子局を認識できる光アクセスシステムを得ることができる。
【発明を実施するための最良の形態】
【００１０】
実施の形態１．
図１は、この発明の実施の形態１による光アクセスシステムを示す構成図である。
図２は、この発明の実施の形態１による光アクセスシステムの全体を示す構成図である。
光アクセスシステムは、図２に示すように、親局１と複数の子局２（２−１〜２−３）と光分岐素子３と光ファイバ４からなる。親局１は、これら子局２（２−１〜２−３）を収容する装置であり、子局２（２−１〜２−３）は、光分岐素子３および光ファイバ４を介して親局１に接続される装置である。尚、各子局２−１〜２−３は、同様の構成であるため、以下、単に子局２として説明する。また、図２では、子局２は３台のみ示しているが、複数台であれば特に台数に限定はないものである。また、光分岐素子３は、親局１との通信路をそれぞれの子局２に分岐させるための素子であり、光ファイバ４は、親局１と子局２との光伝送路を構成するものである。
【００１１】
親局１は、図１に示すように、接続制御部１１、運用インタフェース部１２、回線監視部１３、管理部１４、子局インタフェース部１５を備えている。接続制御部１１は、例えば子局２と接続時における論理回線番号の付与といった子局２との接続制御処理を行う機能部である。運用インタフェース部１２は、運用者の設定内容を受け取って管理部１４に送出すると共に、管理部１４から運用管理テーブル１０１や接続制御テーブル１０２の内容が送信された場合にこれを運用者に対して出力する入出力インタフェースである。また、回線監視部１３は、子局２からの警報や接続制御部１１から通知される回線断等の警報を監視したり、このような警報が発生した場合に接続制御テーブル１０２の警報情報として管理部１４に送る機能を有している。
【００１２】
管理部１４は、運用管理テーブル１０１と接続制御テーブル１０２とを備え、任意の子局２と接続した場合、その子局２から子局識別子を取得し、運用管理テーブル１０１を参照して、この子局識別子に関連付けられた子局管理番号を取得し、接続制御テーブル１０２における取得した子局管理番号に一致する子局管理番号に関連付けて任意の子局との接続時に付与される論理回線番号を設定する機能を有している。
【００１３】
図３は、運用管理テーブル１０１の説明図である。
図４は、接続制御テーブル１０２の説明図である。
運用管理テーブル１０１は、外部より運用者によって設定可能な子局管理番号と、各子局２を識別するための子局２に固有の子局識別子といった情報を関連付けて記憶するためのテーブルであり、子局管理番号１１１、子局識別子１１２、子局設定情報１１３、回線管理番号１１４、回線設定情報１１５のフィールドを備えている。また、これらフィールドの情報は基本的には子局２の接続前に運用者によって設定されるものである。
【００１４】
子局管理番号１１１は、運用者により運用インタフェース部１２を介して設定される情報であり、例えば、図示のように、１から始まる昇順の値が付与され、その上限は、親局１に接続できる子局２の最大接続数となる。子局識別子１１２は、運用者により運用インタフェース部１２を介して設定される例えば、子局２の製造番号やＭＡＣアドレスといった子局２に固有の情報である。尚、運用者は、少なくとも運用開始時点において、このような製造番号やＭＡＣアドレスを知っているものとする。
【００１５】
子局設定情報１１３は、回線単位に設定できないような情報を設定するフィールドである。例えば、子局２に通常搭載されるネットワークＩ／Ｆ（パソコン等を接続するＩ／Ｆ）が、回線と一対一に対応していない（一つしかない）場合、そのネットワークＩ／Ｆの設定は子局装置単位の設定情報となる。回線管理番号１１４は、それぞれの子局２における回線を管理するための番号であり、１台の子局２が設定できる最大回線数までの値が設定される。回線設定情報１１５は、例えば、帯域情報といった回線に対する設定値を示すものである。尚、その中で帯域情報はＰＯＮにおいて必須の設定情報であり、回線品質を決めるサービスパラメータ（例えば、保証帯域値、上限帯域値、最大遅延量等）を表している。また、ＰＯＮは、サービスグレードに応じてこれらのパラメータに差を付ける等を行って運用する。
【００１６】
接続制御テーブル１０２は、子局２との接続によって値が設定されるテーブルであり、子局管理番号１１１、プロパティ情報１２１、回線管理番号１１４、回線接続番号１２２、回線設定内容１２３、警報情報１２４のフィールドを備えている。子局管理番号１１１および回線管理番号１１４は、それぞれ運用管理テーブル１０１の子局管理番号１１１および回線管理番号１１４と同様の情報であり、これらの情報は、接続制御テーブル１０２におけるインデックスとして予め値が設定されている。プロパティ情報１２１は、例えば、子局２が接続された際、ＭＡＣアドレス等の入手できた情報や子局２から吸い上げた子局識別子といった情報を参考用に格納するためのフィールドである。
【００１７】
回線接続番号１２２は、子局２が親局１と回線接続された場合に設定される論理回線番号を登録するためのフィールドである。この回線接続番号１２２は、一般には接続された（親局１が見つけた）順に昇順付与され、子局管理番号１１１の最大値×回線管理番号１１４の最大値＝親局１が収容できる最大回線数がその最大値となる。尚、回線接続番号１２２において、空き回線であることを示すために、初期値は、付与される範囲以外の値をシステムで決めておくことになる。例えば、０、あるいは最大値が１２８であれば２５５にする、といった処理系の都合等も勘案して決定される。回線設定内容１２３は、帯域情報等、実際に回線接続された場合の設定内容が格納されるフィールドである。警報情報１２４は、回線監視部１３によって設定される情報が格納されるフィールドであり、子局インタフェース部１５を介して子局２から転送されてくる警報や、接続制御部１１から通知される回線断等の警報といった情報が設定される。
【００１８】
図１に戻り、子局インタフェース部１５は、光分岐素子３および光ファイバ４（図２参照）を介して子局２と接続するためのインタフェースである。
【００１９】
子局２は、接続制御部２１、回線監視部２２、管理部２３、親局インタフェース部２４を備えている。接続制御部２１および回線監視部２２は、それぞれ、親局１における接続制御部１１、回線監視部１３、管理部１４および子局インタフェース部１５と対になる機能部である。また、管理部２３は、子局２の子局識別子２０１として、製造番号やＭＡＣアドレスの情報を有すると共に、回線管理テーブル２０２を有している。
【００２０】
回線管理テーブル２０２は、その子局２において、回線を管理するための情報を備えたテーブルであり、回線管理番号２０２ａと回線設定情報２０２ｂのフィールドからなる。回線管理番号２０２ａは、その子局２に対して設定される論理回線の管理番号が格納されるフィールドであり、回線設定情報２０２ｂは、回線管理番号２０２ａ毎の設定情報が格納されるフィールドである。
【００２１】
次に、このように構成された光アクセスシステムの動作について説明する。
図５は、各機能部のデータの流れを示す説明図である。
図６は、親局１と子局２との論理回線接続後のシーケンスを示す説明図である。
先ず、運用インタフェース部１２より運用者によって管理部１４の運用管理テーブル１０１に運用に必要な情報が設定される。運用管理テーブル１０１には予め子局管理番号１１１が割り当てられており、運用者は未登録の箇所に情報を設定する。その際、子局識別子１１２に対して、子局２の子局識別子（製造番号やＭＡＣアドレス等）を設定する。
【００２２】
次に、接続制御部１１によって子局２を接続すると、論理回線番号が決定される。すると、管理部１４は、接続された論理回線を経由して、子局インタフェース部１５によって子局２の製造番号２０１を取得する（図６におけるステップＳＴ１、ステップＳＴ２）。これにより、管理部１４は、運用管理テーブル１０１を参照し、取得した子局識別子に一致する子局識別子１１２のレコードにおける子局管理番号１１１の値を引き出す（ステップＳＴ３）。そして、接続制御テーブル１０２において、引き出した子局管理番号１１１の値に一致するレコードの回線接続番号１２２に論理回線番号を設定する。
【００２３】
接続制御部１１および回線監視部１３は、常に論理回線番号を基準に動作するため、子局２の接続・切断・警報発生等のイベント通知に対して、管理部１４は、接続制御テーブル１０２から該当する回線接続番号１２２を探し、当該回線の情報を更新する。これら情報を運用インタフェース部１２から運用者に提供する場合は、子局管理番号１１１に基づいてその通知・表示を行う。
以上の動作により、運用者は子局２の登録設定から運用中の警報監視まで一貫した番号体系で子局２を認識することができる。
【００２４】
また、１台の子局２に複数の論理回線が設定できる場合は、運用管理テーブル１０１に予め子局２毎の複数の回線管理番号１１４のフィールドを割り当てておき、運用者に対して各回線への設定インタフェースを提供する。これが、運用管理テーブル１０１および接続制御テーブル１０２における回線管理番号１１４の情報である。
【００２５】
過去、接続されたことがない空き回線には、接続制御テーブル１０２の回線接続番号１２２に初期値を格納しておき、論理回線が接続された際に空き回線が判別できるようにしておく。
論理回線が接続された際、上述した手順により子局管理番号１１１を特定した後、管理部１４は、同様に子局インタフェース部１５を介して子局２から回線管理番号２０２ａを取得する（図６におけるステップＳＴ４）。子局２の管理部２３に回線管理番号２０２ａが存在しない場合（ステップＳＴ５）、管理部１４は、接続制御テーブル１０２から前記の空き回線部分を探して該当する回線管理番号１１４の値を引き出す（ステップＳＴ６）。即ち、回線接続番号１２２が初期値であり、かつ、回線管理番号１１４の値が最も小さいものを新規の回線管理番号として抽出する。そして、管理部１４は、この回線管理番号を子局２に送る（ステップＳＴ７）。子局２の管理部２３は、これを回線管理番号２０２ａとして設定し（ステップＳＴ８）、次回以降の接続時には当該回線管理番号を読み出して回線を特定する。即ち、上記のステップＳＴ４において、子局２から回線管理番号２０２ａを取得できた場合は、その回線管理番号２０２ａに一致する回線管理番号１１４のレコードの回線接続番号１２２に論理回線番号を設定する。
【００２６】
その後、親局１は、回線管理番号１１４に基づいて運用管理テーブル１０１に予め設定された回線設定情報１１５を引き出し、接続制御部１１によって当該回線への使用帯域等の設定を行う。
【００２７】
尚、設定情報のうち、回線に対して固定的に割り付けて管理したい情報があれば、回線管理番号１１４と共に子局２へ転送し、子局２側で回線管理番号２０２ａと回線設定情報２０２ｂの組で保持しておき、この情報を親局１が吸い上げることによって、再接続時に回線接続番号が変化した場合も、親局は回線管理番号と設定情報の関連付けを維持し、運用者に提供できる。例えば、このような情報として、運用者が回線単位にＶＬＡＮ機能を設定したい場合で、その機能が子局２側で実現されている場合があり、このような場合、運用者は、親局１側で回線管理番号と関連付けてその機能を設定する。そして、子局２接続時にその設定内容を子局２に転送し、以後は子局２側で管理するといったことが可能である。
【００２８】
以上のように、実施の形態１の光アクセスシステムによれば、親局と複数の子局とが光伝送路を介して接続された光アクセスシステムにおいて、親局は、外部より設定可能な子局管理番号と、各子局に固有の子局識別子とを関連付けて記憶する運用管理テーブルと、任意の子局との接続時に付与される論理回線番号と、子局管理番号とを関連付けて記憶する接続制御テーブルと、これら運用管理テーブルおよび接続制御テーブルを有し、任意の子局と接続した場合、子局から子局識別子を取得し、運用管理テーブルを参照して、この子局識別子に関連付けられた子局管理番号を取得し、接続制御テーブルにおける取得した子局管理番号に一致する子局管理番号に関連付けて任意の子局との接続時に付与される論理回線番号を設定する管理部とを備えたので、運用者が子局の登録設定から運用中の警報といった監視まで一貫した番号体系で子局を認識できる光アクセスシステムを得ることができる。
【００２９】
また、実施の形態１の光アクセスシステムによれば、運用管理テーブルおよび接続制御テーブルは、単一の子局管理番号に対して複数の回線管理番号が設定可能に構成されると共に、接続制御テーブルは、複数の回線管理番号に対応して複数の回線接続番号が設定可能に構成され、管理部は、単一の子局に対して複数の論理回線が設定された場合、論理回線番号を複数の回線管理番号に対応した回線接続番号にそれぞれ設定するようにしたので、１台の子局に複数の論理回線が設定される場合であっても、一貫した番号体系で子局を認識することができる。
【００３０】
また、実施の形態１の光アクセスシステムによれば、管理部は、子局より、回線管理番号を取得して、回線管理番号に対応した回線接続番号に論理回線番号を設定するようにしたので、子局と親局との情報の連携が容易に行え、従って、運用管理を容易に行うことができるという効果がある。
【００３１】
また、実施の形態１の光アクセスシステムによれば、管理部は、子局からの回線管理番号取得時に、回線管理番号が存在しなかった場合、接続制御テーブルに予め設定されている回線管理番号を、子局の回線管理番号として設定するよう送信し、子局は、送信された回線管理番号を、論理回線設定時における回線管理番号として登録するようにしたので、論理回線設定時において、子局側から何らかの操作を必要とせず、容易に子局と親局との情報の連携を実現することができる。
【００３２】
また、実施の形態１の光アクセスシステムによれば、子局識別子を、子局の製造番号またはＭＡＣアドレスとしたので、子局を識別するために特別な情報等を用意することなく、容易に、一貫した番号体系で子局を認識できる光アクセスシステムを得ることができる。
【図面の簡単な説明】
【００３３】
【図１】この発明の実施の形態１による光アクセスシステムを示す構成図である。
【図２】この発明の実施の形態１による光アクセスシステムの全体を示す構成図である。
【図３】運用管理テーブルの説明図である
【図４】接続制御テーブルの説明図である。
【図５】この発明の実施の形態１における光アクセスシステムの各機能部のデータの流れを示す説明図である。
【図６】この発明の実施の形態１における光アクセスシステムの親局と子局との論理回線接続後のシーケンスを示す説明図である。
【符号の説明】
【００３４】
１  親局、２  子局、１４  管理部、１０１  運用管理テーブル、１０２  接続制御テーブル、１１１  子局管理番号、１１２  子局識別子、１１４  回線管理番号、１２２  回線接続番号。
【図１】
2006332976.tif 000003
【図２】
2006332976.tif 000004
【図３】
2006332976.tif 000005
【図４】
2006332976.tif 000006
【図５】
2006332976.tif 000007
【図６】
2006332976.tif 000008